(57)【要約】【課題】起動時または停止時の振動が少なく使用勝手の良い酸素富化機を提供する。【解決手段】酸素富化手段１５と、前記酸素富化手段１５で得られた酸素富化空気を吸引して外部に吐出するためのポンプ手段５とを内蔵した本体１と、前記ポンプ手段５の回転数を制御する制御手段３１と、前記ポンプ手段５の回転数とその回転数に応じて変化する本体１の振動との関係情報の内、最も振動が少ない関係情報を記憶させた第１記憶手段３９ａとを備え、前記制御手段３１は、前記第１記憶手段３９ａに記憶された前記最も振動が少ない関係情報に基づき前記ポンプ手段５の起動時および／または停止時の前記ポンプ手段５の回転数を設定するもので、ポンプ手段５の起動時あるいは停止時の振動を最小限に軽減することが可能になるものである。【選択図】図５
2006151755.tif 000002
【特許請求の範囲】
【請求項１】
酸素富化手段と、前記酸素富化手段で得られた酸素富化空気を吸引して外部に吐出するためのポンプ手段とを内蔵した本体と、前記ポンプ手段の回転数を制御する制御手段と、前記ポンプ手段の回転数とその回転数に応じて変化する本体の振動との関係情報の内、最も振動が少ない関係情報を記憶させた第１記憶手段とを備え、前記制御手段は、前記第１記憶手段に記憶された前記最も振動が少ない関係情報に基づき、前記ポンプ手段の起動時および／または停止時の、前記ポンプ手段の回転数を設定する構成とした酸素富化機。
【請求項２】
ポンプ手段に加わる空気圧損負荷を必要に応じて変える空気圧損負荷可変手段と、第２記憶手段とを備え、前記第２記憶手段に、前記空気圧損負荷と前記空気圧損負荷に応じて変化する本体の振動との関係情報Ａの内、最も振動の少ない関係情報Ａを記憶させ、制御手段は、第１記憶手段に記憶された関係情報と前記第２記憶手段に記憶された上記関係情報Ａとに基づき、前記空気圧損負荷可変手段を制御する構成とした請求項１に記載の酸素富化機。
【請求項３】
空気圧損可変手段を、ポンプ手段が吸引する空気経路を切換える電磁弁で形成し、前記ポンプ手段で吸引する空気を、酸素富化手段からの空気と、前記酸素富化手段から以外の空気とに切り換えることで、前記ポンプ手段の空気圧損負荷を変える構成とした請求項２に記載の酸素富化機。
【請求項４】
空気圧損可変手段と、ポンプ手段により酸素富化空気以外の空気を本体外部へ排出する送風運転の制御を行う送風運転制御手段とを備え、前記ポンプ手段の起動時に、前記送風運転制御手段により送風運転を行った後に、前記ポンプ手段により酸素富化空気を本体外部へ排出する構成とした請求項３に記載の酸素富化機。
【請求項５】
ポンプ手段の回転数を段階的に上昇させ、段階的に上昇させる過程で、停止から所定の回転数に変化させる段階において、所定の回転数領域をスキップするように不連続的に変化させる構成とした請求項１〜４のいずれか１項に記載の酸素富化機。
【請求項６】
ポンプ手段の回転数を段階的に上昇させる過程で、定常運転時の回転数に近づくに従って、回転数の上昇率を小さくする構成とした請求項５に記載の酸素富化機。
【請求項７】
ポンプ手段の運転を停止するときは、送風運転制御手段により送風運転を行った後に、前記ポンプ手段により酸素富化空気を本体外部へ排出する構成とした請求項４〜６のいずれか１項に記載の酸素富化機。
【請求項８】
ポンプ手段の運転を停止するときは、制御手段により前記ポンプ手段の回転数を段階的に下降させ、段階的に下降させる過程で、所定の回転数領域をスキップするように不連続的に変化させる構成とした請求項１〜７のいずれか１項に記載の酸素富化機。
【請求項９】
ポンプ手段の回転数を段階的に下降させる過程で、停止直前の回転数に変化させる段階において、所定の回転数領域をスキップするように不連続的に変化させる構成とした請求項８に記載の酸素富化機。
【発明の詳細な説明】
【技術分野】
【０００１】
本発明は、酸素富化空気を使用者に供給する酸素富化機に関するものである。
【背景技術】
【０００２】
従来のこの種の酸素富化機について、図１０を用いて説明する。
【０００３】
図１０は、従来の酸素富化機の断面図を示すものである。酸素富化機の本体５０は、空気中の酸素濃度を高める酸素富化手段５１と、酸素富化手段５１で得られた酸素富化空気を吐出手段５２に供給するポンプ手段５３を内蔵すると共に、持ち運び用のハンドル５４と、ポンプ手段５３に電源を供給するための電源コード５５が設けられている。吐出手段５２は、使用者の頭にセットするヘッドセット（図示せず）に設けられた吐出口（図示せず）に連通されている。
【０００４】
そして使用者が、ヘッドセットを頭にセットし、電源コード５５を屋内のコンセントに差し込んで、本体５０の電源スイッチ（図示せず）をオンすると、ポンプ手段５３が運転を開始し、外気が酸素富化手段５１内に吸引されると共に酸素富化された空気が吐出手段５２に送られ、使用者は、自分の口元にセットした吐出口から酸素富化された空気を吸引することができるようになっている（例えば、特許文献１参照）。
【特許文献１】登録実用新案第３０９６１１３号公報
【発明の開示】
【発明が解決しようとする課題】
【０００５】
しかしながら、前記従来の酸素富化機においては、ポンプ手段の起動と停止時に、本体の振動が大きいという課題があった。
【０００６】
本発明は、前記従来の課題を解決するもので、起動時または停止時の振動を大幅に抑制した酸素富化機を提供することを目的とするものである。
【課題を解決するための手段】
【０００７】
前記従来の課題を解決するために、本発明の酸素富化機は、酸素富化手段と、前記酸素富化手段で得られた酸素富化空気を吸引して外部に吐出するためのポンプ手段とを内蔵した本体と、前記ポンプ手段の回転数を制御する制御手段と、前記ポンプ手段の回転数とその回転数に応じて変化する本体の振動との関係情報の内、最も振動が少ない関係情報を記憶させた第１記憶手段とを備え、前記制御手段は、前記第１記憶手段に記憶された前記最も振動が少ない関係情報に基づき前記ポンプ手段の起動時又は／および停止時の前記ポンプ手段の回転数を設定するもので、ポンプ手段の起動時および／または停止時の本体の振動を最小限に軽減することができるものである。
【発明の効果】
【０００８】
本発明の酸素富化機は、起動時または停止時の振動を軽減することができる。
【発明を実施するための最良の形態】
【０００９】
第１の発明は、酸素富化手段と、前記酸素富化手段で得られた酸素富化空気を吸引して外部に吐出するためのポンプ手段とを内蔵した本体と、前記ポンプ手段の回転数を制御する制御手段と、前記ポンプ手段の回転数とその回転数に応じて変化する本体の振動との関係情報の内、最も振動が少ない関係情報を記憶させた第１記憶手段とを備え、前記制御手段は、前記第１記憶手段に記憶された前記最も振動が少ない関係情報に基づき前記ポンプ手段の起動時および／または停止時の前記ポンプ手段の回転数を設定するもので、ポンプ手段の起動時又は／およびの停止時の本体の振動を最小限に軽減することができるものである。
【００１０】
第２の発明は、特に、第１の発明のポンプ手段に加わる空気圧損負荷を必要に応じて変える空気圧損負荷可変手段と、第２記憶手段とを備え、前記第２記憶手段に、前記空気圧損負荷と、前記空気圧損負荷に応じて変化する本体の振動との関係情報Ａの内、最も振動の少ない関係情報Ａを記憶させ、制御手段は、第１記憶手段に記憶された関係情報と前記第２記憶手段に記憶された上記関係情報Ａに基づき、前記空気圧損負荷可変手段を制御すると共に前記ポンプ手段の起動時又は／および停止時の回転数を設定するようにしたもので、ポンプ手段の起動時又は／および停止時の負荷を軽減することにより、本体の振動をさらに軽減することができる。
【００１１】
第３の発明は、特に、第２の発明の空気圧損可変手段を、ポンプ手段が吸引する空気経路を切換える電磁弁で形成し、前記ポンプ手段で吸引する空気を、酸素富化手段からの空気と前記酸素富化手段からの空気以外の空気とに切り換えることで前記ポンプ手段の空気圧損負荷を変えるようにしたもので、ポンプ手段の起動時の負荷を軽減することにより本体の振動を軽減することができる。
【００１２】
第４の発明は、特に、第３の発明の空気圧損可変手段と、ポンプ手段により、酸素富化空気以外の空気を本体外部へ排出する送風運転の制御を行う送風運転制御手段を備え、前記ポンプ手段の起動時に、前記送風運転制御手段により送風運転を行った後に、前記ポンプ手段により酸素富化空気も本体外部へ排出するもので、本体の振動を軽減することができる。
【００１３】
第５の発明は、特に、第１〜４のいずれか１つの発明のポンプ手段の回転数を段階的に上昇させ、段階的に上昇させる過程で、停止から所定の回転数に変化させる段階において、所定の回転数領域をスキップするように不連続的に変化させる構成としたもので、共振による揺れの影響を最小限に抑え本体の振動を軽減することができる。
【００１４】
第６の発明は、特に、第５の発明のポンプ手段の回転数を段階的に上昇させる過程で、定常運転時の回転数に近づくに従って、回転数の上昇率を小さくするもので、本体の振動を軽減することができる。
【００１５】
第７の発明は、特に、第４〜６のいずれか１つの発明のポンプ手段の運転を停止するときは、送風運転制御手段により送風運転を行った後に、前記ポンプ手段により酸素富化空気を本体外部へ排出する構成としたもので、本体の振動を軽減することができる。
【００１６】
第８の発明は、特に、第１〜７のいずれか１つの発明のポンプ手段の運転を停止するときは、制御手段により前記ポンプ手段の回転数を段階的に下降させ、段階的に下降させる過程で、所定の回転数領域をスキップするように不連続的に変化させる構成としたもので、共振による揺れの影響を最小限に抑え本体の振動を軽減することができる。
【００１７】
第９の発明は、特に、第８の発明のポンプ手段の回転数を段階的に下降させる過程で、停止直前の回転数に変化させる段階において、所定の回転数領域をスキップするように不連続的に変化させる構成としたもので、本体の振動を軽減することができる。
【００１８】
以下、本発明の実施の形態について、図面を参照しながら説明する。なお、この実施の形態によって本発明が限定されるものではない。
【００１９】
（実施の形態１）
以下、本発明の第１の実施の形態における酸素富化機について、図１〜９を用いて説明する。
【００２０】
図１〜８において、１は縦長箱状の本体で、その外郭は、前後二つのケース１ａ、１ｂを突合せ結合して構成され、底板２にビス止め結合されている。３は本体１内に設けた内装ケースで、左右二つのケース３ａ、３ｂを突合せ結合して構成され、前記本体１の底板２に着脱自在にビス止めされている。４は前記本体１の上部開口を覆う天板で、前記内装ケース３にビス止めして着脱自在に取付けてある。
【００２１】
５は、内装ケース３の下部に内装されたベローズポンプ等からなり後述の酸素富化手段１５に連通するポンプ手段で、底板２に対して以下のように弾性的に取付けてある。
【００２２】
すなわち、６は底板２のポンプ手段取付凹部２ａに嵌合設置された台板で、その適所を底板２にビス止めしてある。７は前記ポンプ手段５の底面にビス結合された取付板で、前後左右のコーナ部にコイルバネ等から形成された第１弾性手段８と、その中心側寄り部分にゴムのような弾力性を有する柱状弾性体からなる第２弾性手段９を介して前記台板６に装着されている。
【００２３】
ここで前記第２弾性手段９は、その上下各端部の円周上に設けられた引っ掛け部９ａを台板６及び取付板７にそれぞれ設けた孔６ａ、７ａの縁に嵌合させて結合してあり、この結合によって台板６と取付板７を連結して防振ユニットが構成されている。なお、上記台板６及び取付板７の第１弾性手段８を受ける部分にはこれの坐屈防止用の突部（図示せず）等を設けておくのが好ましい。
【００２４】
更に、ポンプ手段５も内装ケース３に対して以下のように弾性的に支持されている。
【００２５】
すなわち１０、１１は、ポンプ手段５を左、右及び前から弾性的に支持する第３弾性手段で、圧縮コイルスプリング等で構成されている。この各第３弾性手段１０、１１はその一端を支持板１２に結合させてあり、他端を前記内装ケース３の左右側面及び前側に形成した各開口部１３より挿入してポンプ手段５の左右の側面及び前側に圧接させた後、開口部１３の周縁に設けた係止部１４に、支持板１２をスライド係合させることにより内装ケース３に後付け可能となっている。
【００２６】
１５は前記ポンプ手段５の上部に配置され酸素富化膜（図示せず）を内蔵した酸素富化手段で、側面の上下方向に渡って設けたパッキン（図示せず）を介して前記内装ケース３のケース３ａ、３ｂで挟持固定されている。
【００２７】
２２は前記本体１の天板４に開口させた吐出口で、パイプ２３を介して前記ポンプ手段５の排出側に接続され、ポンプ手段５から送出された酸素富化空気が吐出するところである。２３ａは上記パイプ２３の途中に設けた消音器で、途中の通路面積を拡大させる事で消音させている。
【００２８】
２４は、前記ポンプ手段５の後部に配置した送風手段で、本体１の後面でかつ酸素富化手段１５に対向して設けた吸気口２５から外気を吸引し、内装ケース３内の酸素富化手段１５の周囲に取り込み、その後下向きに変流してポンプ手段５を冷却した後に、排気口２６より本体１外に排気するようにしている。上記送風手段２４は、ポンプ手段５を冷却する機能の他に、酸素富化手段１５に新鮮な外気を送ることにより、酸素富化効率の低下を防止する働きもするものである。また、本実施の形態では、内装ケース３内を空気通路として活用すると共に、吸気口２５、排気口２６の両方を本体１の同一面に、本実施の形態では後面に設けてある。
【００２９】
図７は、本体１内の空気の流れを示すブロック図で、ポンプ手段５の吸引側と酸素富化手段１５を連通する連通管２３ｂの途中に、一端が開放し、電磁弁４８が配されたバイパス通路２３ｃが接続されている。通常の運転時には、ポンプ手段５を運転すると、酸素富化手段１５の周囲の空気が酸素富化膜を通して吸引され、そこで酸素富化空気が生成され、吐出口２２に送出される。ここで、電磁弁４８を動作させてバイパス通路２３ｃを開放すると、バイパス通路２３ｃには、酸素富化膜のような圧損負荷となるものがないので、外気が、酸素富化手段１５を通らずバイパス通路２３ｃから直接流入し、それを吐出口２２に送出することができる。
【００３０】
このように、電磁弁４８の動作によって、ポンプ手段５に加わる空気圧損負荷を変化させる事ができるので、電磁弁４８は、空気圧損負荷可変手段として機能するものである。
【００３１】
２９、３０は、内装ケース３の酸素富化手段１５を挟持固定している部分の側面に形成された凹所で、その下部に配置されたポンプ手段５より酸素富化手段１５の幅が狭いことを利用して形成されている。３１は一方の凹所２９に配置され、電子部品３１ａ、不揮発性メモリ等からなる第１記憶手段３９ａ、同じく不揮発性メモリ等からなる第２記憶手段３９ｂを搭載した制御基板等からなる制御手段で、前記ポンプ手段５、送風手段２４等を制御するものである。２０は、本体１内又は制御手段３１の近傍の温度を検知する温度検知手段である。
【００３２】
ポンプ手段５の回転数を徐々に上げて行くと、ポンプ手段５の運転によって本体１に生じる振動も変化する。ポンプ手段５の回転数と本体１に生じる振動との関係は必ずしも比例するものではなく、本体１内の構成部品の重さ、剛性、配置等の様様な要因で変る。そこで、本実施の形態では、予め、ポンプ手段５を、回転数とその回転数での運転時間を色々変えながら（例えば、１００ｒｐｍ、２秒⇒２００ｒｐｍ、３秒−−）、定格回転数に達するまで運転し、その間の各回転数での本体１の振動を測定し、最も本体１の振動が少ない場合の、ポンプ手段５の回転数と本体１の振動との関係情報、すなわち本体１の振動が最も少なくなるポンプの回転数を第１記憶手段３９ａに記憶させている。
【００３３】
また、ポンプ手段５を停止する際に、ポンプ手段５の回転数を徐々に下げて行くと、起動時と同様に本体１に生じる振動も変化する。そこでポンプ手段５の回転数を定格回転数から徐々に下げて停止するまでの間の、ポンプ手段５の回転数と本体１の振動との関係情報の内、最も振動の少ない関係情報を同様に第１記憶手段３９ａに記憶させておく。
【００３４】
また、第２記憶手段３９ｂには、空気圧損負荷手段である電磁弁４８を動作させたときに変動する空気圧損負荷と、変動する空気圧損負荷に応じて発生する本体１の振動との関係情報Ａの内、最も振動が少ない関係情報Ａを記憶させている。
【００３５】
３２は、反対側の凹所３０に着脱自在に装着される充電可能な二次電池で、前記ポンプ手段５、送風手段２４、制御手段３１等の電源となるものであり、本体１の下部側面に設けた給電用端子３３を介して交流電源や車内のシガーライタ（図示せず）などの外部電源により充電されるようになっている。
【００３６】
３５は、本体１の天板４に設けた運転スイッチで、３６は、本体１の運転状態を表示する運転表示手段、３７は運転時間を設定するタイマースイッチで、例えば３０分、１時間、３時間と言うようにあらかじめ設定した時間運転させることができるようになっており、３８は、タイマースイッチ３７で設定されたタイマー時間を表示するタイマー表示手段で、前記各表示手段はいずれもＬＥＤやランプ等で構成されている。
【００３７】
４０は、本体持ち運び用のハンドルで、収納時にその把持部４０ａが天板４の上面と面一になるように配置してある。このハンドル４０は略コ字状に形成され、把持部４０ａの両側の脚部４０ｂに設けた軸部４０ｃを内装ケース３の上部に設けた上下方向の長孔３ｃに貫設することによって、上下方向にスライド自在にしてあり、かつ、軸部４０ｃを中心に前後方向に回動自在ともなっている。
【００３８】
４１は、本体１の上部前後に設けた係止部で、ストラップ４２を取付けることによって当該本体１を肩掛け状態で使用することもできるようになっている。
【００３９】
図７に示す４３は、使用者が酸素富化空気を吸う時に、頭にセットする吐出ユニットで、一端が本体１の吐出口２２に接続されるチューブ４４と、チューブ４４の他端に接続され酸素富化空気を吐出する吐出部４７を有するヘッドバンド部４３ａから構成されている。４５は、チューブ４４の途中に設けられ、チューブ４４内に結露する水分を捕捉する液だまりである。
【００４０】
次に、上記構成に基づく酸素富化機の動作について説明する。
【００４１】
最初に、使用者は、本体１に設けた吐出口２２に連通するように接続された吐出ユニット（図示せず）を頭部、首部或いは耳部にセットする。そして運転スイッチ３５をＯＮ操作すると、ポンプ手段５に電源が供給され通電状態を示す運転表示手段３６が点灯する。そして、第１記憶手段３９ａに記憶されたポンプ手段５の回転数と本体１の振動との関係情報に基づき、ポンプ手段５の回転数が徐々に上げられて行く。そしてポンプ手段５の回転数が定格回転数に達すると、タイマースイッチ３７で設定した時間の間、ポンプ手段５が運転し、かつ送風手段２４が作動する。そして送風手段２４の作動により本体１に設けた吸気口２５より外気が吸引され、この外気は酸素富化手段１５を通り、ポンプ手段５を冷却した後、排気口２６から本体外に排出される。
【００４２】
一方、酸素富化手段１５の周囲を通る外気の一部はポンプ手段５の運転により酸素富化手段１５内に吸引され、酸素富化された空気となる。そして得られた酸素富化空気は吐出口２２に送出され、チューブ４４を介して使用者が頭などにセットした吐出ユニット４３に送られ、その吐出ユニット４３に設けた吐出部４７より吐出され、使用者は酸素富化空気を、口や鼻から吸引できるようになる。
【００４３】
タイマースイッチ３７で設定した時間が経過すると、第１記憶手段３９ａに記憶されたポンプ手段５の回転数と本体１の振動との関係情報に基づき、ポンプ手段５の回転数が自動的に徐々に下げられ、停止する。
【００４４】
以上のように、本実施の形態によれば、ポンプ手段５の運転立ち上げ時或いは停止時に、第１記憶手段３９ａに記憶されたポンプ手段５の回転数と本体１の振動との関係情報に基づき、ポンプ手段５の回転数を徐々に上げて、或いは徐々に下げて行くようにしているので、本体１の振動を最小限に抑えながら、ポンプ手段５を起動或いは停止することができ、非常に使用勝手が良いものである。
【００４５】
また、第１記憶手段３９ａに記憶されたポンプ手段５の回転数と本体１の振動との関係情報に加え、第２記憶手段３９ｂに記憶された、電磁弁４８を動作させたときに変動する空気圧損負荷と、本体１の振動との関係情報Ａに基づき、ポンプ手段５の運転立ち上げ時の回転数を設定すれば、ポンプ手段５の始動時の負荷を低減し、本体の振動を更に低減することができる。
【００４６】
なお、第１記憶手段３９ａ、第２記憶手段３９ｂに記憶される内容は、自由に書きかえられるようになっている。
【００４７】
また、温度検知手段２０によって検知された本体１内又は制御手段３１の近傍の温度が、所定の温度より高くなった時に、送風運転制御手段（図示せず）により、電磁弁４８を開くと、外気は、空気圧損負荷の大きな酸素富化手段１５を通らず、バイパス通路２３ｃを介して直接吸引され、パイプ２３、吐出口２２、チューブ４４を経て吐出部４７より吐出される。
【００４８】
以上のように、電磁弁４８を開いて、バイパス通路２３ｃから外気を直接吸入する事でポンプ手段５に加わる空気圧損負荷が減り、ポンプ手段５の温度上昇が抑制され、本体１内又は制御手段３１周囲の温度が下がり、酸素富化機の継続運転を支障無くて行なうことができる。
【００４９】
次に、第１の記憶手段３９ａに記憶されたポンプ手段５の回転数と本体１の振動との関係情報に基づくポンプ手段５の始動運転の詳細について、図９を用いて説明する。
【００５０】
起動時には、図９のＩ〜IIIの領域に示すように、所定の時間をかけてポンプ手段５の回転数を上昇させるソフトスタートを行っている。ポンプ手段制御信号電圧は一意的に回転数を決定するものであり、今回の場合ポンプ手段制御信号電圧が大きくなると回転数が上がるものである。ソフトスタートはＩより始まり、このＩの領域では、回転数を上昇させる最小単位時間である回転数アップタイミング毎に、制御可能な最小の回転数である１カウント分の回転数ずつ上昇させている。３）のステップ領域下限から４）のステップ領域上限までをステップ領域（II）とし、この間は回転数アップタイミング毎にステップ領域上昇値で定めた回転数分を上昇させている。４）から6)のソフトスタート終了まで（III）は、回転数アップタイミング毎に１カウント分の回転数を上昇させている。
【００５１】
停止時には、所定の時間をかけて回転数を降下させるスロウダウンを行っている。スロウダウンはIVより始まり、このIVの領域では、回転数を下降させる最小単位時間である回
転数ダウンタイミング毎に、制御可能な最小の回転数である１カウント分の回転数ずつ降下させている。４）'から３）'のステップ領域下限までをステップ領域（Ｖ）とし、この間は回転数ダウンタイミング毎にステップ領域下降値で定めたカウント分の回転数を下降させている。３）'からスロウダウン終了まで（VI）は、回転数ダウンタイミング毎に１カウント分の回転数を降下させている。
【００５２】
１）の初期設定は、起動時の回転数設定(ソフトスタート時)や、停止直前の回転数設定(スロウダウン時)となり、この値が大きいと起動時の揺れが大きくなり、小さいと起動時のポンプ手段５の音が顕著になる。一方、設定値が大きすぎると共振点に重なり、小さすぎるとポンプが動き出すまでに時間がかかる原因となる。また、３）ｌｏｗ側との連携で起動後即ステップ領域に入ったりすることもできる。
【００５３】
２）の回転数アップタイミングは、回転数を上げるタイミングの設定値である。設定したタイミング（例えば、１０ｍｓ）毎に所定の回転数分だけ上昇する。Ｉ及びIIIでは、回転数アップタイミング毎に１カウント分の回転数を上げている。IIにおいては５）で定める回転数（ステップ値とする）の分だけ上昇する。このステップ値が小さいと、ソフトスタートの時間が長くなり違和感が生じ、小さすぎると、共振点の通過時間が長くなり振動が大きくなる。また、この値が大きいと回転数の上昇が急峻になり、この値が大きすぎるとソフトスタートを行わないことと等しい。
【００５４】
２）'のダウンタイミングは、２）アップタイミングとは逆で、回転数を下げるタイミングの設定値である。その他は同様だが、設定したカウント毎に所定の回転数分だけ下降する。この値が大きいとスロウダウンの時間が長くなり、違和感が生じ、大きすぎると共振点近傍の通過時間が長くなり振動が大きくなる。また、この値が小さいと回転数が急激に下降し、この値が小さすぎるとスロウダウンを行わないことと等しくなる。２）と２）'は独立しており、それぞれ区別して設定することができる。
【００５５】
３）のソフトスタート設定値ｌｏｗ側は、ステップ領域のｌｏｗ側境界の回転数である。１）の初期設定とこの差が大きいと、この間において回転数は１カウントずつしか変化がないため、ソフトスタートの時間が長くなり違和感が生じ、特に差が大きすぎると共振帯に近づくために振動が大きくなる。また、この値が小さいとＩの時間が短くなったりIIが長くなったりし、特にこの値が小さすぎると１）との組み合わせによりＩがなくなりソフトスタート移行後即ステップ領域に入ったり、１）より小さければ１）の値がこの値に取って代わりステップ領域に入る。
【００５６】
３）'のスロウダウン設定値ｌｏｗ側は、スロウダウンでのステップ領域のｌｏｗ側境界の回転数である。３）がソフトスタートにおけるステップ領域の始まりを意味するのに対して、３）'はスロウダウンのステップ領域の終わりを意味している。この値と１）の初期設定の差が大きいと、スロウダウンの時間が長くなり、値が大きすぎるとステップ領域が短くなるので、ゆっくりと停止の方向へ向かうため違和感が生じる。またこの値が小さいと急峻に停止へ向かい、この値が１）より小さいときは、処理中に１）の値より小さくなった時点でスロウダウンは終了し、動作として停止する。
【００５７】
４）のソフトスタート設定値ｈｉ側は、３）のｌｏｗ側より、ｈｉ側までがソフトスタートのステップ領域となる。この値が小さいとこれ以降のソフトスタート終了までにおいて、回転数のカウントが１ずつしか増加しないために、ソフトスタートが長くなる。従って、この値が小さすぎるとステップ領域が短くなるため、違和感が生じるほどソフトスタートが長くなる。逆にこの値が大きいと、ステップ領域終了からソフトスタート終了までが短くなるので、ソフトスタートの時間は短くなる。
【００５８】
４）'のスロウダウン設定値ｈｉ側は、スロウダウン側でのステップ領域の開始となる。この値が小さいと、スロウダウンが開始されてからステップ領域に入るまでの時間がかかるためスロウダウンが長くなり、小さすぎると、共振点近傍までゆっくり近づくことになり振動が大きくなる。また大きな値だと、ステップ領域にすぐ入ってしまうので、５）'ステップ値が大きい場合は特に、急激に回転数が低くなり振動が大きくなってしまう。
【００５９】
５）のステップ値(ソフトスタート)は、３）〜４）のステップ領域において、２）のアップタイミング毎に増加する回転数の増加分の設定値である。この値が大きいと、ソフトスタートが短くなり、大きすぎるとステップ領域が無いのと同等で、急峻に出力が大きくなるため振動が大きくなる。また、突入電力が大きくなる要因となる。逆に小さな値の場合は、ソフトスタートが長くなってしまい、小さすぎると共振点付近で長時間出力することになるので、振動が大きくなる原因となる。
【００６０】
５）'のステップ値(スロウダウン)は、５）と同様で、この値が大きいとスロウダウンが短くなり、大きすぎるとステップ領域が無いのと同等で、回転数が急減するため、振動が大きくなる原因となる。逆に小さいとスロウダウンが長くなり、小さすぎると共振点付近で長時間出力するため振動が大きくなる原因となる。
【産業上の利用可能性】
【００６１】
以上のように、本発明にかかる酸素富化機は起動時および／または停止時におけるポンプ手段の回転数の設定が細分化されているので、振動を抑える制御を容易に行うことができ、違和感無く使用可能となるもので、ポンプ手段を有する各種機器に適用できる。
【図面の簡単な説明】
【００６２】
【図１】本発明の実施の形態１における酸素富化機の左側面図
【図２】同酸素富化機の背面図
【図３】同酸素富化機の上面図
【図４】同酸素富化機のケースを取り外した時の左側面図
【図５】同酸素富化機のケースを取り外した時の右側面図
【図６】同酸素富化機のケースを取り外した時の背面図
【図７】同酸素富化機内の空気の流れを示すブロック図
【図８】同酸素富化機の吐出ユニットの斜視図
【図９】同酸素富化機のポンプ手段の制御方法を示す図
【図１０】従来の酸素富化機の断面図
【符号の説明】
【００６３】
１  本体
５  ポンプ手段
１５  酸素富化手段
２０  温度検知手段
３１  制御手段
３９ａ  第１記憶手段
３９ｂ  第２記憶手段
４８  電磁弁（空気圧損負荷可変手段）
【図１】
2006151755.tif 000003
【図２】
2006151755.tif 000004
【図３】
2006151755.tif 000005
【図４】
2006151755.tif 000006
【図５】
2006151755.tif 000007
【図６】
2006151755.tif 000008
【図７】
2006151755.tif 000009
【図８】
2006151755.tif 000010
【図９】
2006151755.tif 000011
【図１０】
2006151755.tif 000012